(57)【要約】  【課題】  全くの初心者であっても一人で簡単且つ確実に着付けすることが可能であり、しかも着崩れを確りと防止できる和服の着付け法を提供する。  【解決手段】  左右一対の弾性素材製バンド２１からなる裾上げ用バンド２の挾着具２３，２３を、着物１のウエスト高さ値Ｈに相当する左右後ろ身頃１１巾寸法Ｗの１／２となる箇所夫々に取り付けて羽織り、腹前にて着脱機構２４を介して連結し、後ろ身頃の着丈を維持したまま、ウエスト周りにおはしょりを形成し、腰紐を着けて所望の帯を締める着物の着付け方法である。【選択図】    図３
2005120520.tif 000002
【特許請求の範囲】
【請求項１】
少なくとも一方に長さ調節機構を有し、双方は着脱機構を介して連結、一体化し得るようにした左右一対の弾性素材製バンドからなり、着脱機構に臨まない側の各々の端部には夫々繋着部を取り付けてなるものとした裾上げ用バンドを用意し、当該着脱機構によって一本化する前の左右一対の弾性素材製バンドの各繋着部を、着物の裾からの位置で着用者のウエスト高さ値に略相当していて、後ろ身頃巾の夫々約１／２程度に当たる左右箇所に別々に仮着状に取着して着物を羽織った状態とし、各弾性素材製バンドの着脱機構組込み端部側を夫々着用者の腹前に廻した上、着脱機構によって一本化した裾上げ用バンドとすることにより、着用者のウエストに装着状とした該裾上げ用バンドで、着物後ろ身頃のウエストから下を所定の状態に維持したままで、以降順次着物の裾を所定の位置に揃えてから、おはしょりをウエスト周りに形成した上、腰紐を着けて所望の帯を締めるようにしたことを特徴とする着物の着付け方法。
【請求項２】
少なくとも一方に長さ調節機構を有し、双方は着脱機構を介して連結、一体化し得るようにした左右一対の弾性素材製バンドからなり、着脱機構に臨まない側の各々の端部には夫々挾着具を取り付けてなるものとした裾上げ用バンドを用意し、当該着脱機構によって一本化する前の左右一対の弾性素材製バンドの各挾着具を、着物の裾からの位置で着用者のウエスト高さ値に略相当していて、後ろ身頃巾の夫々約１／２程度に当たる左右箇所に別々に仮着状に取着して着物を羽織った状態とし、各弾性素材製バンドの着脱機構組込み端部側を夫々着用者の腹前に廻した上、着脱機構によって一本化した裾上げ用バンドとすることにより、着用者のウエストに装着状とした該裾上げ用バンドで、着物後ろ身頃のウエストから下を、裾が床面から僅かに持ち上げられて床面上に平行状となるようにした状態に維持しながら背中側のおはしょりも確保してしまい、次いで着物の下前（右）と上前（左）とを夫々着用者の腹前で重ね合わせながら、その各々の裾が床面から僅かに持ち上げられて床面上に平行状となるようにした状態に維持したままで残りのおはしょりを形成してしまうようにし、その後に腰紐を着けて所望の帯を締めるようにしたことを特徴とする着物の着付け方法。
【請求項３】
少なくとも一方に長さ調節機構を有し、双方は着脱機構を介して連結、一体化し得るようにした左右一対の弾性素材製バンドからなり、着脱機構に臨まない側の各々の端部には夫々繋着部を設けてなるものとした裾上げ用バンドを用意する一方、着物の裾からの位置で着用者のウエスト高さ値に略相当していて、後ろ身頃巾の夫々約１／２程度に当たる左右箇所の夫々に繋着高さを適宜変更自在とした裾丈調節用繋着部を形成しておき、前記着脱機構によって一本化する前の左右一対の弾性素材製バンドの各繋着部を、裾丈調節用繋着部の適宜選択した高さ位置に仮着状に取着して着物を羽織った状態とし、各弾性素材製バンドの着脱機構組込み端部側を夫々着用者の腹前に廻した上、着脱機構によって一本化した裾上げ用バンドとすることにより、着用者のウエストに装着状とした該裾上げ用バンドで、着物後ろ身頃のウエストから下を、裾が床面から僅かに持ち上げられて床面上に平行状となるようにした状態に維持しながら背中側のおはしょりも確保してしまい、次いで着物の下前（右）と上前（左）とを夫々着用者の腹前で重ね合わせながら、その各々の裾が床面から僅かに持ち上げられて床面上に平行状となるようにした状態に維持したままで残りのおはしょりを形成してしまうようにし、その後に腰紐を着けて所望の帯を締めるようにしたことを特徴とする着物の着付け方法。                                              
【発明の詳細な説明】
【技術分野】
【０００１】
この発明は、着物および着物の着付けに関連するあらゆる分野をその技術分野とするものであって、着物の着付けに係わる分野、即ち呉服の分野や着付け教室、着付けの役務を業とする美容室等の分野は勿論のこと、着物そのものを製造する繊維産業の分野、着物の着付けに用いる小物類等を製造する分野、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                            
【背景技術】
【０００２】
（視  点）
我が国における生活様式は、時代の変遷と共に次第に西洋化が進み、日常生活を送る住宅室内の多くは、畳敷きの和室から洋室へと変化し、また、交通機関の発達に伴い電車やバスを利用した移動や自動車や自転車の運転等、より活動的な服装が求められるようになり、古くから永く伝えられてきた和服は、日常的に着用されることがめっきり少なくなってしまい、初詣でや七五三、成人式等の伝統的な祝い事や行事、冠婚葬祭等の特別な日にしか見られなくなってきており、更に一般的な現代女性にとって和服は、洋服に比較して着付けが難しく時間が掛り、窮屈で堅苦しいというイメージや、着崩れしたときの直し方が解らない等、主に着こなし方を知らないという理由から、その美しさに憧れを抱きながらも敬遠してしまい、特別な日以外は、着物ではなく着慣れてしまっている洋服の方を選択してしまうというのが実情といえる。
【０００３】
（従来の技術）
こうした弊害を解消しようとして、例えば特開平９−１５７９１４号公報に開示された、上半身部分の上着、下半身部分の巻スカート、およびおはしょり部分の三部に切り分けて仕立てたものであって上着と巻スカートとを夫々ブラウス、スカート感覚で身にまとい、おはしょり部分を、見せおはしょり部分に帯を設けたおはしょり付き帯として身にまとう「三部式キモノと、おはしょり付き帯」発明が開発されているが、伝統的な着物とは全く異なる裁断および縫製によって製造されるものであり、一般の着物を着用する場合には、全く利用することができないものであった。
【０００４】
そこで、伝統的な着物にも利用可能な技術として、例えば特開２００２−１１５１１４号公報に示された、下前のウエスト位置に固定する留め具と長襦袢を締めた伊達締めに係止する係止具とを両端に有する第１ベルトと、身体の後から回して前で互いに係止する係止具を有するベルト本体から分岐し、上前のウエスト位置に係止できる留め具を有する補助ベルトからなる第２ベルトと、中間部を結合したＡベルトおよびＢベルトからなり、Ａベルトはおはしょりを作った後、身八つ口から下前のウエスト位置の衿に止める留め具と、上前の衿のウエスト位置に止める留め具を両端に具備し、Ｂベルトは身体の後から回して係止する係止具を有する第３ベルトとからなり、着物の着付けの際に、おはしょりを簡単に作れると共に、上前と下前の両衿や両褄先が乱れるような着崩れを防止する「おはしょり簡単ウエストベルトとこれを用いた着物の着付け方法」発明が既に開発されているが、各ベルトの取り付け位置や締め付け手順等が比較的複雑なため、初めて着用する人にとって着付けの複雑さを解消できるものとはならないという欠点があった。
【０００５】
また、例えば特開２００３−８９９０３号公報の、着物の後ろ見頃内側に裾から腰紐位置の長さを測り、背縫いを中心に左右の後ろ見頃に渡って胴裏地様の布を横長に、トンネル状に貼り着け腰紐通しを着け、その中に綿もしくはシンモス等の伸びたりせず丈夫でしっかり結べる生地からなる腰紐を通し、この腰紐を締めて後ろ見頃の裾丈を固定する「簡易着付け女物長着」発明が開示されているが、トンネル状の腰紐通しに腰紐を通す構造のため、腰紐を強く縛っても後ろ見頃に腰回り方向の張力が働かず、初心者が一人で着付けする場合等には、着付け中や着付け後に後ろ身頃およびその周辺のおはしょり部分に皺が発生し、着崩れしてしまう虞れがあるという欠点をもつものであった。                                    
【特許文献１】（１）特開平９−１５７９１４号公報    （２）特開２００２−１１５１１４号公報    （３）特開２００３−８９９０３号公報
【発明の開示】
【発明が解決しようとする課題】
【０００６】
（問題意識）
以上のように着付けの簡便さを追求して従前までに開発された上着と巻スカートおよび見せおはしょり付きの帯からなる「三部式キモノと、おはしょり付き帯」は、伝統的な仕立てとは全く異なる構造を採っているため、新たに購入する着物にしか採用することができず、既に購入済みの着物には利用できないという欠点があり、また、「おはしょり簡単ウエストベルトとこれを用いた着物の着付け方法」や「簡易着付け女物長着」は、多数本のベルトや紐を締め付けて着付けをする必要があるため、手順を間違えなければ初心者でも、おはしょりを上手に形成することができるものであるが、その手順は本来の着物の着付け以上に複雑化してしまい、誰でも気軽に利用して迷わずに素早く着用できるというものではなく、整然と着付けするには、やはりある程度の慣れを要するものであるというのが実情であった。
【０００７】
（発明の目的）
そこで、この発明は、全くの初心者であっても一人で簡単且つ確実に着付けすることが可能であり、しかも着崩れを確りと防止できる和服の着付け法を提供することはできないものかとの判断から、逸速くその開発、研究に着手し、長期に渡る試行錯誤と幾多の試作、実験とを繰り返してきた結果、今回、遂に新規な着物の着付け方法を実現化することに成功したものであり、以下では、図面に示すこの発明を代表する実施例と共に、その構成を詳述することとする。                                                                                      
【課題を解決するための手段】
【０００８】
（発明の構成）
図面に示すこの発明を代表する実施例からも明確に理解されるように、この発明に包含される着物の着付け方法は、基本的に次のような構成から成り立っている。
即ち、少なくとも一方に長さ調節機構を有し、双方は着脱機構を介して連結、一体化し得るようにした左右一対の弾性素材製バンドからなり、着脱機構に臨まない側の各々の端部には夫々繋着部を取り付けてなるものとした裾上げ用バンドを用意し、当該着脱機構によって一本化する前の左右一対の弾性素材製バンドの各繋着部を、着物の裾からの位置で着用者のウエスト高さ値に略相当していて、後ろ身頃巾の夫々約１／２程度に当たる左右箇所に別々に仮着状に取着して着物を羽織った状態とし、各弾性素材製バンドの着脱機構組込み端部側を夫々着用者の腹前に廻した上、着脱機構によって一本化した裾上げ用バンドとすることにより、着用者のウエストに装着状とした該裾上げ用バンドで、着物後ろ身頃のウエストから下を所定の状態に維持したままで、以降順次着物の裾を所定の位置に揃えてから、おはしょりをウエスト周りに形成した上、腰紐を着けて所望の帯を締めるようにした構成を要旨とする着物の着付け方法である。
【０００９】
この発明の着物の着付け方法を、より具体的な構成で示すと、少なくとも一方に長さ調節機構を有し、双方は着脱機構を介して連結、一体化し得るようにした左右一対の弾性素材製バンドからなり、着脱機構に臨まない側の各々の端部には夫々挾着具を取り付けてなるものとした裾上げ用バンドを用意し、当該着脱機構によって一本化する前の左右一対の弾性素材製バンドの各挾着具を、着物の裾からの位置で着用者のウエスト高さ値に略相当していて、後ろ身頃巾の夫々約１／２程度に当たる左右箇所に別々に仮着状に取着して着物を羽織った状態とし、各弾性素材製バンドの着脱機構組込み端部側を夫々着用者の腹前に廻した上、着脱機構によって一本化した裾上げ用バンドとすることにより、着用者のウエストに装着状とした該裾上げ用バンドで、着物後ろ身頃のウエストから下を、裾が床面から僅かに持ち上げられて床面上に平行状となるようにした状態に維持しながら背中側のおはしょりも確保してしまい、次いで着物の下前（右）と上前（左）とを夫々着用者の腹前で重ね合わせながら、その各々の裾が床面から僅かに持ち上げられて床面上に平行状となるようにした状態に維持したままで残りのおはしょりを形成してしまうようにし、その後に腰紐を着けて所望の帯を締めるようにした着物の着付け方法であるということができる。
【００１０】
また、この発明の着物の着付け方法を換言すると、少なくとも一方に長さ調節機構を有し、双方は着脱機構を介して連結、一体化し得るようにした左右一対の弾性素材製バンドからなり、着脱機構に臨まない側の各々の端部には夫々繋着部を設けてなるものとした裾上げ用バンドを用意する一方、着物の裾からの位置で着用者のウエスト高さ値に略相当していて、後ろ身頃巾の夫々約１／２程度に当たる左右箇所の夫々に繋着高さを適宜変更自在とした裾丈調節用繋着部を形成しておき、前記着脱機構によって一本化する前の左右一対の弾性素材製バンドの各繋着部を、裾丈調節用繋着部の適宜選択した高さ位置に仮着状に取着して着物を羽織った状態とし、各弾性素材製バンドの着脱機構組込み端部側を夫々着用者の腹前に廻した上、着脱機構によって一本化した裾上げ用バンドとすることにより、着用者のウエストに装着状とした該裾上げ用バンドで、着物後ろ身頃のウエストから下を、裾が床面から僅かに持ち上げられて床面上に平行状となるようにした状態に維持しながら背中側のおはしょりも確保してしまい、次いで着物の下前（右）と上前（左）とを夫々着用者の腹前で重ね合わせながら、その各々の裾が床面から僅かに持ち上げられて床面上に平行状となるようにした状態に維持したままで残りのおはしょりを形成してしまうようにし、その後に腰紐を着けて所望の帯を締めるようにした着物の着付け方法であるということができる。                                                                                          
【発明の効果】
【００１１】
以上のとおり、この発明の着物の着付け方法によれば、着付けに不慣れな着用者であっても一人で迷うことなく裾上げ用バンドを取り付けて速やかに着丈を決めることができ、袖を通して羽織り、裾上げ用バンドを腹前に取り廻して連結し、長さ調節機構により、引き締め具合を調節するだけで、左右のバンドが繋着された左右後ろ身頃巾中央のウエスト高さ値に略一致する辺りを左右側に纏う様に引き付け、これによって形の良い背中側のおはしょりを自動的に形成すことができ、更に、着用と同時に後ろ身頃の裾が、床面に平行状に自動的に設定され、しかもズレ動くことがないので、短時間で正確な着付けが可能となり、従前までであれば、着丈を決めて裾を適正な位置に調節することすら難しく、腰紐を締めた後にも前後のおはしょり形状や衣紋を整えたり、裾の位置を合わせたりしなければ着物全体を整えることができなかったが、こうした課題の一切を解決できる上、裾上げ用バンドが、腰辺りのおはしょりの弛みや、裾下がり等の着崩れを確実に防止するので、外出先で着崩れを直す手間も解消することができるという秀れた特徴が得られるものである。                                                                                        
【発明を実施するための最良の形態】
【００１２】
上記したとおりの構成からなるこの発明の実施に際し、その最良もしくは望ましい形態について説明を加えることにする。
着物は、基本的に通常の和服であり、具体的には、後ろ見頃と前身頃とを有し衿、左右の衽、左右に身八つ口を形成した袖を設け、伝統的な各部寸法に設定され、着用の際におはしょりを形成しなければならないものであり、より具体的には、振り袖、色留袖、黒留袖、訪問着、付け下げ、色無地、江戸小紋、小紋、紬、花嫁衣装、喪服、浴衣等の外、着物の様に着用可能な衣類も含み、今後新たにデザインされる和服状の洋服類とすることも可能であり、絹や綿、麻等の素材や染め、織り、刺繍、絞り等の製造方法等に制限を受けないのは勿論である。
【００１３】
裾上げ用バンドは、着物の後ろ身頃巾の夫々約１／２程度に当たる左右箇所に別々に仮着状に取着し、着用者の腹前に回してウエスト周りに装着状とし、着物後ろ身頃のウエストから下を所定の状態に維持、可能とする機能を果たすものであり、一部または全部がゴムバンド製、あるいは、一部にスプリングを設ける等した左右一対の弾性素材製のバンドからり、互いのバンドの端部同士を人為的に着脱可能とするバックルや金具類等からなる着脱機構を設けたものとしなければならず、左右のバンドの中、少なくとも一方のバンドに、端部側もしくは中途部を伸縮状、折畳み状あるいは巻取り状にする等してウエスト周りの長さ寸法を調節自在にする調節機構を組み込んだものとすべきであり、着脱機構に臨まない側の各バンドの端部には、夫々クリップ金具や噛み合せ具等、着物の生地に挾着可能な挾着金具か、あるいは、裾丈調節用繋着部に形成された繋着用ループ等に挿し通して結着可能とするボタン、ホックまたはファスナー類等からなる繋着部を設けたものとするのが望ましい。
【００１４】
丈調節用繋着部は、裾上げ用バンドの左右の弾性素材製のバンドにおける着脱機構に臨まない側の端部の繋着部（または挾着具）を、着用者のウエスト高さ値に略相当する着物の後ろ身頃巾の夫々約１／２程度に当たる左右箇所に仮付け状に繋着、可能とする機能を果たすものであり、着物生地の裏面（および／または胴裏）に一体的に取着され、着用者のウエスト高さ値に略相当する箇所を含む所定上下範囲に渡り、複数個の繋着用ループを設け、何れか選択された高さ位置の繋着用ループに裾上げ用バンドの繋着部（または挾着具）を脱着自在に繋着可能としたものとすべきであるが、裾上げ用バンドの挾着具による噛み付き等によって着物の生地を痛めないよう着物生地に装着する単なる（繋着用ループを持たない）補強布とすることもできる。
【００１５】
また、この発明の着物の着付け方法では、着用者のウエスト高さ値に略相当し、後ろ身頃巾の約１／２程度に当たる左右箇所を決定する際に、着用者のウエスト高さ値を、直接メジャーによって測定して得ることができる外、着用者の人差し指と親指を広げた寸法の五つ半（５回半）分を、裾から背縫いに沿って測ることによって得ることも可能であり、更にまた、予め標準的な体形毎の身長とウエスト高さ値とを表に纏めておき、着用者の身長を目安にウエスト高さ値を読み取り、裾上げ用バンドの取り付け位置を決定するものとすることができる。
以下では、図面に示すこの発明を代表する実施例と共に、その構造について詳述することとする。                                                                                              
【実施例１】
【００１６】
図１の裾上げ用バンドの装着位置を決定する着物の正面図、図２の左右裾上げ用バンドの斜視図、図３の裾上げ用バンドを取り付けた着物の正面図に示される事例は、少なくとも一方に長さ調節機構２２を有し、双方は着脱機構２４を介して連結、一体化し得るようにした左右一対の弾性素材製バンド２１，２１からなり、着脱機構２４に臨まない側の各々の端部には夫々挾着具２３，２３を取り付けてなるものとしたこの発明に包含される着物の着付け方法に使用する裾上げ用バンド２の代表的な一実施例を示すものである。
【００１７】
当該着物の着付け方法に使用する裾上げ用バンド２は、図２中に示すように、複数本の細いゴム紐の間や外側に綿製あるいは合成繊維製等の糸を織り込み、巾２ないし４ｃｍ前後の帯状に製造され、長さが２０ないし３０ｃｍ前後に設定され、同図２中の白抜き矢印で示す方向に、伸縮可能な左右一対のバンド２１，２１からなり、一方のバンド２１の先端側は、折り返して輪状部分を形成し、伸び方向の引張力が働くとバンド端部を係止して仮留め状とする長さ調節金具（長さ調節機構）２２が装着され、この長さ調節金具２２の角度をバンド２１に平行状の姿勢としたときに、バンド２１への規制を開放して長さ調節自在とするものとなっており、同バンド２１の基端側には、図示しないバネによって閉鎖され、手指による操作を受けて開くクリップ金具（挾着具）２３を設けたものとなっている。
【００１８】
他方のバンド２１の先端側もまた前記と同様の長さ調節金具（長さ調節機構）２２を設けることによって輪状部分を形成したものとなっており、更に、同輪状部分には、一方のバンド２１の先端側輪状部分に着脱自在に掛着可能な鈎状部を有する着脱金具（着脱機構）２４を装着したものとなっており、同他方のバンド２１の基端にはクリップ金具（挾着具）２３が設けられている。                                                                                  
【実施例２】
【００１９】
図４の裾上げ用バンドの装着位置を決定する着物の正面図、図５の右後ろ見頃側の丈調節用繋着部の正面図、図６の他の構造の丈調節用繋着部の正面図、図７の左右裾上げ用バンドの斜視図、図８の丈調節用繋着部に取り付けた裾上げ用バンドの正面図に示される事例は、少なくとも一方に長さ調節機構２２を有し、双方は着脱機構２４を介して連結、一体化し得るようにした左右一対の弾性素材製バンド２１，２１からなり、着脱機構２４に臨まない側の各々の端部には夫々繋着部２３，２３を設けてなるものとした裾上げ用バンド２を用意する一方、着物１の裾からの位置で着用者Ｐのウエスト高さ値Ｈに略相当していて、後ろ身頃巾Ｗの夫々約１／２程度（Ｗ／２）に当たる左右箇所の夫々に繋着高さを適宜変更自在とした裾丈調節用繋着部３を形成し、裾上げ用バンド２を裾丈調節用繋着部３に繋着可能としたこの発明に包含される着物の着付け方法に使用する着物１および裾上げ用バンド２における他の実施例を示すものである。
【００２０】
裾上げ用バンド２は、図７中に示すように、巾２ないし４ｃｍ前後、長さ３０ないし４０ｃｍ前後に設定された左右一対のゴム製バンド２１，２１からなり、一方のバンド２１が、その先端側を折り返して輪状部分を形成し、同バンド２１の先端と中途部とを長さ調節金具（長さ調節機構）２２で仮留め状に連結し、該長さ調節金具２２を操作することにより、バンド２１先端の仮留め位置を同バンド２１の長さ方向に沿って移動、調節可能な構造とし、また、同バンド２１の基端付近と、同側面の中途部適所の夫々には、一方が他方に仮付け状に接着可能な面状ファスナ２５，２５を設けたことにより、着脱機構２３の一部が形成されている。
【００２１】
また、他方のバンド２１の先端側も同様の長さ調節金具（長さ調節機構）２２を設けることによって輪状部分を形成し、一方のバンド２１の先端側輪状部分に着脱自在に掛着可能な鈎状部を有する着脱金具（着脱機構）２４を装着し、同他方のバンド２１の基端付近、および中途部適所には、夫々面状ファスナ２５，２５を装着してある。
【００２２】
着物１には、図１中に示すように、裾１２から背縫い１３に沿う位置で、着用者Ｐのウエスト高さ値Ｈに略相当し、後ろ身頃巾Ｗの夫々約１／２程度（Ｗ／２程度）に当たる胴裏および（または）後ろ身頃１１裏面の左右箇所Ｔ付近の夫々に、図５中に示す、短冊状の取付け用補強布３１の、装着の際に背縫い１３とは反対側となる縁側に露出状となり、上下三段に形成された個別の繋着用ループ３２，３２，３２を一体的に形成した裾丈調節用繋着部３が逢着、一体化されたものとなっており、従って右側の後ろ身頃１１に設けられた裾丈調節用繋着部３は、右外縁に沿って繋着用ループ３２，３２，３２が配置され、左側の後ろ身頃１１に設けられた裾丈調節用繋着部３は、左外縁に沿って繋着用ループ３２，３２，３２が配してある。
そして、これら左右の裾丈調節用繋着部３，３は、上下に渡る複数段の何れか一箇所に、裾上げ用バンド２の各繋着部２３，２３を脱着自在に装着可能とする構造とすればよく、例えば図６中に示すように、短冊状の取付け用補強布３１の中央に、筒状に縫合された繋着用細帯３３を縦に配置させ、その上下端とその間に上下均等配置となる二箇所の夫々を逢着し、上下三段の繋着用ループ３２，３２，３２を一体形成したものとすることが可能である。
【００２３】
（実施例の作用）
上記実施例１の場合、着用者Ｐは、図示していないが予め着物１や帯、および裾上げ用バンド２を含むその外の着付けに必要となる小物類を準備して置き、足袋や裾よけ、肌襦袢、長襦袢等を着用してから、以下の着物の着付け方法を行うものであり、図１中に示すように、着用者Ｐ自身のウエスト高さ値Ｈを、自らの左右何れか一方の手の人差し指と親指とを上下方向に広げるようにして、指先間の寸法を一単位（１回）として測り、着用者Ｐが標準的な体形であれば、一般にウエスト高さ値Ｈが五つ半（５回と半）分の寸法となる。
【００２４】
着用する着物の裾１２から背縫い１３に沿ってウエスト高さ値Ｈの五つ半（５回と半）分の寸法を、一方の手の人差し指と親指とを上下方向に広げるようにして測定し、その高さ値Ｈに相当する左右後ろ身頃１１，１１の各巾寸法Ｗの１／２となる中央（Ｗ／２）の位置Ｔ，Ｔに、図２中に示した、夫々裾上げ用バンド２の左右バンド２１，２１基端側のクリップ金具（挾着具）２３，２３を挾着させ、図３中に示すように、着物１の左右後ろ身頃１１，１１の裏面適所に繋着したものとした上、その着物１を図９の裾上げ用バンドを装着した着用者によって羽織られた着物の正面図、および図１０の後ろ身頃におはしょりが形成された着物の側面図に示すように、着用者Ｐが左右の袖を通し、背縫い１３と背中の中心が一致するよう羽織り、左右のバンド２１，２１の先端同士を、着用者Ｐの腹前側に取り廻し、着脱金具（着脱機構）２４によって脱着可能に接続すると共に、必要に応じて長さ調節金具２２、２２を調整してバンド２１，２１の長さを調節し、裾上げ用バンド２が、着物１の左右後ろ身頃１１、１１の挾着箇所Ｔ，Ｔ間を略水平方向に引っ張るように引き締めて弛みを生じないようウエスト周りに取り付くよう装着する。
このように裾上げ用バンド２を装着した時点で、左右後ろ身頃１１，１１のおはしょり１４が自動的に形成され、裾１２から同おはしょり１４の折返し高さ位置までの寸法が、ウエスト高さ値Ｈに相当する高さ寸法に決定され、後ろ身頃１１，１１の裾１２は、床面擦れ擦れの平行状に僅かに浮かせた状態で維持されたものとなる。
【００２５】
裾上げ用バンド２の装着による後ろ身頃１１，１１のおはしょり１４の形成によって着丈が、既に決定されているので、左右の手で夫々の左右衿先１５，１５を持ち、後ろ身頃１１，１１に形成したおはしょり１４に倣って右の前身頃１６および衽１７、衿先１５を折り畳み、図１１の着用者が下前に上前を重ね合わせようとする際の着物の正面図に示すように、下前（右）におはしょり１４を形成しながら、右の前身頃１６の裾１２および褄先１８が、後ろ身頃１１と同様に、床面に擦れ擦れに平行となるように着丈を揃え、更に、後ろ身頃１１，１１のおはしょり１４に倣い左の前身頃１６および衽１７、衿先１５を折り畳み、上前（左）におはしょり１４を形成すると共に、左前身頃１６の裾１２と褄先１８とを右の前身頃１６の裾１２に略一致するよう揃えて腹前で重ね合わせるように纏い、図１２の腰紐を付けた着物の斜視図中に破線で示すように腰紐１９を着け、図１３の着付けを終えた着物の斜視図に示すように、帯を結び着付けを完了する。
【００２６】
一方、実施例２の裾上げ用バンド２も、略同様の使用が可能なので、着物の着付け方法の中で前者と手順の異なる部分についてのみ示すと、着付けの準備をした着用者Ｐは、図４中に示すように、凡そのウエスト高さ値Ｈを手で測る等して測定し、その寸法Ｈを着物１の裾１２から背縫い１３に沿って同様に測り、予め着物１の左右後ろ身頃１１，１１の裏面に縫合されている裾丈調節用繋着部３の上下三段の繋着用ループ３２，３２，３２の中、ウエスト高さ値Ｈに略該当する、例えば中段の左右一組を選択し、これら左右の繋着用ループ３２，３２に、図７中に示した、裾上げ用バンド２の左右バンド２１，２１の各端部を夫々繋着する。
裾丈調節用繋着部３は、図５に示す構造のものを使用したが、図６に示す構造とした場合にも、略同様に使用することが可能である。
【００２７】
上下三段の繋着用ループ３２，３２，３２中から使用する一個を選択した場合に、例えば、着用者Ｐが既婚者か独身者かにより、おはしょり１４の長さや着丈を変える必要があるので、例えば、独身者の場合には中段（もしくは上段）の繋着用ループ３２，３２を選択し、既婚者の場合には下段の繋着用ループ３２，３２を選択することによって最適な着付けが可能となる。また、上下三段の繋着用ループ３２，３２，３２は、着用者Ｐ自身の身長の変化や、他の人への貸与の際等にも着丈を適宜、設定できるので巾広い対応が可能となる。
【００２８】
左側のバンド２１は、図８中に示すように、左側に向けて突出するよう形成された中段の繋着用ループ３２に対し、その基端側を潜すように通して折り返し、基端に設けられた面状ファスナ２５と、中途適所に設けられた面状ファスナ２５とを仮付け状に結合させて繋着し、右側のバンド２１も、図示していないが左右対称となるよう同様に繋着させたものとした後に、図９中に示すように、着用者Ｐは、着物１に両袖を通して羽織り、左右のバンド２１，２１の先端側を腹前に取り廻して互いの先端を、着脱金具（着脱機構）２４によって着脱自在に連結し、更に、長さ調節金具（長さ調節機構）２２，２２を調節してウエスト周りにフィットさせるよう引き締めて、図１０に示すよう、後ろ身頃１１，１１の適所におはしょり１４を形成させた状態とし、それ以降は、前述と同様に、既に形成されている後側のおはしょり１４に倣って前側のおはしょり１４を形成しながら下前（右）と上前（左）とを重ね合わせて腰紐１９を縛り、図示しない伊達締めを締めて帯を結び、着付けを完了する。
【００２９】
（実施例の効果）
以上のような構成からなる各実施例の着付け方法は、前記この発明の効果の項で記載の特徴に加え、実施例１では、左右のバンド２１，２１の各基端に、クリップ金具（挾着具）２３，２３を設けた裾上げ用バンド２を使用したことにより、一般的な着物の殆ど全てにおいて逢着等の作業を一切施すことなく、当該着物の着付け方法を実施することが可能であり、しかもバンド２１，２１の繋着位置についても、着用者Ｐ毎に異なるウエスト高さ値Ｈに自在に対応することが可能である上、着脱に際しても着物に縫い目等の傷が付かず、この発明の着物の着付け方法を実施したからといって着物の本来の品質を低下させることがなく、それ以降にも通常の着付け方法による着用に何等の支障を来すこともないという秀れた利便性を有するという利点を得られることになる。
【００３０】
また、実施例２の裾上げ用バンド２を使用した着物の着付け方法によれば、着物１の後ろ身頃１１，１１の適正位置に取り付けられた裾丈調節用繋着部３に上下三段の繋着用ループ３２，３２，３２を設けたことにより、着物１に対して左右のバンド２１，２１をより強固に繋着することが可能となる上、左右のバンド２１，２１を上下三段の繋着用ループ３２，３２，３２の何れかを適宜、選択して繋着することが可能なので、着丈の設定を上下に移動させ、着丈やおはしょりの寸法を微妙に調節することができ、着付けの自由度を確保することができるという秀れた効果を発揮するものとなる。
【００３１】
（結  び）
叙述の如く、この発明の着物の着付け方法は、その新規な構成によって所期の目的を遍く達成可能とするものであり、しかもそれに使用する裾上げ用バンドは、構成が簡素であり、製造も容易で、比較的廉価にて提供することができる上、誰にでも簡単に使用できるものであることから、従前までの多数本のベルトや紐を複雑に締め付けて着付けする着付け方法に比較して、格段に単純化された手順によって初心者であっても迷うことなく整然と素早く着用できるので、着付けが難しく時間が掛り、窮屈で堅苦しく、着崩れしたときの直し方が解らない等といった不安を悉く解消し、和服の美しさに憧れを抱きながらも敬遠しいた現代女性や、こうした顧客を多く抱える和服業界において高く評価され、広範に渡って利用、普及していくものになると予想される。                                                              
【図面の簡単な説明】
【００３２】
図面は、この発明の着物の着付け方法の技術的思想を具現化した代表的な幾つかの実施例を示すものである。
【図１】着用者のウエスト高さ値を決定する作業を示す着物の正面図である。
【図２】裾上げ用バンドの構造を示す斜視図である。
【図３】裾上げ用バンドを取り付けた着物を示す正面図である。
【図４】裾丈調節用繋着部の取付け位置の決定作業を示す着物の正面図である。
【図５】右側の裾丈調節用繋着部を示す正面図である。
【図６】裾丈調節用繋着部の他の例を示す正面図である。
【図７】裾上げ用バンドの構造を示す斜視図である。
【図８】裾丈調節用繋着部に繋着した裾上げ用バンドを示す斜視図である。
【図９】着用者が裾上げ用バンドを装着した状態を示す正面図である。
【図１０】後ろ身頃におはしょりが形成された着物を示す側面図である。
【図１１】着用者が下前と上前とを重ね合わせる状態を示す着物の正面図である。
【図１２】腰紐を結んだ着物の着用状態を示す正面図である。
【図１３】着付けを完了した着物の着用状態を示す正面図である。
【符号の説明】
【００３３】
１      着物
１１    同  後ろ身頃
１２    同  裾
１３    同  背縫い
１４    同  おはしょり
１５    同  衿先
１６    同  前身頃
１７    同  衽
１８    同  褄先
１９    同  腰紐
２      裾上げ用バンド
２１    同  バンド
２２    同  長さ調節金具（長さ調節機構）
２３    同  クリップ金具（挾着具、繋着部）
２４    同  着脱金具（着脱機構）
２５    同  面状ファスナ
３      裾丈調節用繋着部
３１    同  取付け用補強布
３２    同  繋着用ループ
３３    同  繋着用細帯
Ｈ      ウエスト高さ値
Ｗ      後ろ身頃巾
Ｐ      着用者
Ｔ      繋着（挾着）箇所
【図１】
2005120520.tif 000003
【図２】
2005120520.tif 000004
【図３】
2005120520.tif 000005
【図４】
2005120520.tif 000006
【図５】
2005120520.tif 000007
【図６】
2005120520.tif 000008
【図７】
2005120520.tif 000009
【図８】
2005120520.tif 000010
【図９】
2005120520.tif 000011
【図１０】
2005120520.tif 000012
【図１１】
2005120520.tif 000013
【図１２】
2005120520.tif 000014
【図１３】
2005120520.tif 000015